【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
リング形状、或いは、少なくとも装着時にリング形状となるフレームと、
前記フレームの周面に沿って、略全周にわたって表示画面が配置された複数の表示部と、
前記フレームと表示部との間に配置され、外部から電力の供給を受けて電力を蓄える蓄電装置として構成された電源および前記表示部を駆動するための駆動回路と、を備え、
外部機器から表示データを受信する表示データ受信部と、
受信した前記表示データを記憶する記憶部と、
前記記憶部から前記表示データを読み出し、前記表示部に前記表示データに対応する画像を表示させる表示制御部と、を有する
ことを特徴とする表示装置。
【請求項２】
請求項１記載の表示装置において、
前記電源と前記駆動回路とは、前記フレームの相異なる周面位置に配置されていることを特徴とする表示装置。
【請求項３】
請求項１または請求項２記載の表示装置において、
前記表示データ受信部は、近距離無線通信により前記表示データを受信することを特徴とする表示装置。
【請求項４】
リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置を制御するための制御方法において、
外部機器から表示データを受信する表示データ受信過程と、
受信した前記表示データを記憶する記憶過程と、
記憶した前記表示データを読み出し、前記表示部に前記表示データに対応する画像を表示させる表示制御過程と、
を備えたことを特徴とする表示装置の制御方法。
【請求項５】
リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置をコンピュータにより制御するための制御プログラムにおいて、
外部機器から表示データを受信させ、
受信した前記表示データを記憶させ、
記憶した前記表示データを読み出させ、前記表示部に前記表示データに対応する画像を表示させる、
ことを特徴とする制御プログラム。
【請求項６】
請求項１記載の表示装置において、
互いに連携して画像を表示すべきであるとともに、隣接して配置された他の表示装置との間で指向性のある通信を行う通信部と、
前記通信により、互いの前記表示画面が略円筒の周面に沿って配置されるように略隣接して装着された際の所定の基準位置に対する相対的な自己の回転位置を検出する回転位置検出部と、
前記相対的な回転位置に基づいて、前記所定の基準位置を表示基準位置として、前記表示データに対応する画像を前記表示部に表示させる表示制御部と、
を備えたことを特徴とする表示装置。
【請求項７】
請求項６記載の表示装置において、
前記連携して画像を表示すべき複数の表示装置の中で、前記略円筒の回転軸に沿った方向における自己の位置を特定する自己位置特定情報を記憶する自己位置記憶部を備え、
前記表示制御部は、前記自己位置特定情報に基づいて、前記連携して表示すべき画像を構成する部分画像を前記表示部に表示させる、
ことを特徴とする表示装置。
【請求項８】
請求項７記載の表示装置において、
前記通信部は、前記回転軸に沿った一方側に位置する表示装置から自己位置特定情報を受信し、前記自己位置記憶部に記憶させる位置情報受信部と、前記回転軸に沿った他方側に位置するであろう表示装置に対応する自己位置特定情報である次位置特定情報を送信する位置情報送信部と、を備え、
当該表示装置は、前記自己位置特定情報に基づいて前記次位置特定情報を生成する次位置情報生成部を備えた、
ことを特徴とする表示装置。
【請求項９】
請求項８記載の表示装置において、
前記通信部は、前記他方側に位置するであろう表示装置から、終端情報を受信しなかった場合に、自己が他方側の端に位置する表示装置であるとして、前記一方側に前記終端情報を送信することを特徴とする表示装置。
【請求項１０】
請求項９記載の表示装置において、
前記通信部は、前記終端情報とともに、自己の自己位置特定情報を送信することを特徴とする表示装置。
【請求項１１】
請求項７ないし請求項１０のいずれかに記載の表示装置において、
前記自己位置記憶部は、初期状態において、自己が前記複数の表示装置のうち、略中心の位置に配置されている旨を表す中心位置特定情報を前記自己位置特定情報として記憶していることを特徴とする表示装置。
【請求項１２】
請求項１１記載の表示装置において、
前記自己位置記憶部が前記中心位置特定情報を記憶している場合に、前記表示基準位置として自己の前記表示画面の周面方向のいずれかの位置とする基準位置特定部を備えたことを特徴とする表示装置。
【請求項１３】
請求項１１記載の表示装置において、
前記通信部は、前記自己位置記憶部が前記中心位置特定情報を記憶しておらず、かつ、前記他方側に位置する表示装置から前記終端情報を受信した場合に、前記一方側に当該終端情報を転送することを特徴とする表示装置。
【請求項１４】
請求項１３記載の表示装置において、
前記通信部は、前記終端情報とともに、前記他方側の端に位置する表示装置に対応する自己位置特定情報を転送することを特徴とする表示装置。
【請求項１５】
リング形状、或いは、少なくとも装着時にリング形状となるフレームと、前記フレームの周面に沿って、略全周にわたって表示画面が配置された表示部と、を備えた表示装置の制御方法において、
互いに連携して画像を表示すべきであるとともに、隣接して配置された他の表示装置との間で指向性のある通信を行う通信過程と、
前記通信により、互いの前記表示画面が略円筒の周面に沿って配置されるように略隣接して装着された際の所定の基準位置に対する相対的な自己の回転位置を検出する回転位置検出過程と、
前記相対的な回転位置に基づいて、前記所定の基準位置を表示基準位置として、前記表示データに対応する画像を前記表示部に表示させる表示制御過程と、
を備えたことを特徴とする表示装置の制御方法。
【請求項１６】
リング形状、或いは、少なくとも装着時にリング形状となるフレームと、前記フレームの周面に沿って、略全周にわたって表示画面が配置された表示部と、互いに連携して画像を表示すべきであるとともに、隣接して配置された他の表示装置との間で指向性のある通信を行う通信部と、を備えた表示装置をコンピュータにより制御する制御プログラムにおいて、
前記通信により、互いの前記表示画面が略円筒の周面に沿って配置されるように略隣接して装着された際の所定の基準位置に対する相対的な自己の回転位置を検出させ、
前記相対的な回転位置に基づいて、前記所定の基準位置を表示基準位置として、前記表示データに対応する画像を前記表示部に表示させる、
ことを特徴とする制御プログラム。
【請求項１７】
請求項１記載の表示装置において、
他の表示装置との間で通信を行い、互いに画像表示のための同期をとる通信部と、
表示データに基づいて、前記他の表示装置と同期がとれた状態で前記表示データに対応する画像を前記表示部に表示させる表示制御部と、
を備えたことを特徴とする表示装置。
【請求項１８】
請求項１７記載の表示装置において、
前記表示データを記憶する記憶部を備え、
前記通信部は、外部機器から表示データを受信して前記記憶部に記憶させ、
前記表示制御部は、前記記憶部から前記表示データを読み出し、前記表示部に前記表示データに対応する画像を表示させる、
ことを特徴とする表示装置。
【請求項１９】
請求項１７または請求項１８に記載の表示装置において、
前記通信部は、他の一または複数の表示装置と通信ネットワークを構成し、
前記通信ネットワークを介して前記同期をとることを特徴とする表示装置。
【請求項２０】
リング形状のフレームと、前記フレームの周面に沿って配置された一または複数の表示部と、を備え、前記フレームの周面に沿って、略全周にわたって表示画面が配置された表示装置を制御するための制御方法において、
他の表示装置との間で通信を行い、互いに画像表示のための同期をとる通信過程と、
表示データに基づいて、前記他の表示装置と同期がとれた状態で前記表示データに対応する画像を前記表示部に表示させる表示制御過程と、
を備えたことを特徴とする表示装置の制御方法。
【請求項２１】
リング形状のフレームと、前記フレームの周面に沿って配置された一または複数の表示部と、を備え、前記フレームの周面に沿って、略全周にわたって表示画面が配置された表示装置をコンピュータにより制御するための制御プログラムにおいて、
他の表示装置との間で通信を行い、互いに画像表示のための同期をとらせ、
表示データに基づいて、前記他の表示装置と同期がとれた状態で前記表示データに対応する画像を前記表示部に表示させる、
ことを特徴とする制御プログラム。
【手続補正２】
【補正対象書類名】明細書
【補正対象項目名】０００４
【補正方法】変更
【補正の内容】
【０００４】
上記課題を解決するため、表示装置は、リング形状、或いは、少なくとも装着時にリング形状となるフレームと、前記フレームの周面に沿って、略全周にわたって表示画面が配置された複数の表示部と、前記フレームと表示部との間に配置され、外部から電力の供給を受けて電力を蓄える蓄電装置として構成された電源および前記表示部を駆動するための駆動回路と、を備え、外部機器から表示データを受信する表示データ受信部と、受信した前記表示データを記憶する記憶部と、前記記憶部から前記表示データを読み出し、前記表示部に前記表示データに対応する画像を表示させる表示制御部と、を有することを特徴としている。
この表示装置において、前記電源と前記駆動回路とは、前記フレームの相異なる周面位置に配置されているようにしてもよい。
また、前記表示データ受信部は、近距離無線通信により前記表示データを受信するようにしてもよい。